(57)【要約】      （修正有）【課題】安全性が高く、壁やカーテンの脱臭を行う空気調和機を提供すること。【解決手段】熱交換器と送風機と吸入口から前記熱交換器、前記送風機を通って吹出口に至る送風回路を有する空気調和機において、空気調和機に水を放電によってクラスターにして空気中に放出させる水クラスター発生装置５を設け、脱臭効果が高い水クラスターを、空気調和機の吹出し風に乗せて室内に拡散させることにより、室内の壁やカーテン等に付着している臭い成分まで除去する。【選択図】図１
2006078135.tif 000002
【特許請求の範囲】
【請求項１】
熱交換器と、送風機と、吸入口から前記熱交換器、前記送風機を通って吹出口に至る送風回路を有する空気調和機において、水を放電によってクラスターにして空気中に放出させる水クラスター発生装置を備えたことを特徴とする空気調和機。
【請求項２】
前記熱交換器に結露した水を用いて、水クラスター発生装置で放電によりクラスターにすることを特徴とする請求項１記載の空気調和機。
【請求項３】
前記空気調和機に、屋外の空気中に含まれる水分を抽出する水生成手段を設け、前記水生成手段で抽出した水を利用する前記水クラスター発生装置において、放電によりクラスターにすることを特徴とする請求項１または請求項２記載の空気調和機。
【発明の詳細な説明】
【技術分野】
【０００１】
本発明は、水のクラスターを室内に放出することで、壁やカーテンの脱臭を行う、空気調和機の構成に関する。
【背景技術】
【０００２】
近年の空気調和機は冷房や暖房を行うに留まらず、室内空気の質向上を図るべく、浮遊塵埃やアレルゲンの除去、脱臭、抗菌などの各種機能が付与されている。しかし、基本的にはこれらの手段としては、空気吸入口に各種のフィルタ類を設けて濾し採るあるいは吸着するといった方式を採っており、これらフィルタ類の汚損が進行すると通風抵抗が増加して冷暖房時のエネルギー消費を増大させるばかりでなく、適宜、清掃・手入れを行わないと塵埃や臭いがフィルタに堆積するためにかえって逆効果となる可能性もある。
【０００３】
また、上記のような方式で脱臭を行う場合、室内空気中の臭い成分は比較的速やかに除去されるが、室内の壁やカーテン等に付着している臭い成分までは除去できず、室内には臭いが残ってしまうという課題があった。
【０００４】
これに対して、例えば、図７のように空調装置類内部から吹き出される冷・暖空気に対して脱臭殺菌性ガスを適宜量混合せしめることにより、悪臭や細菌・バクテリア・黴類等の発生ならび拡散を防止することができる脱臭殺菌性ガス供給手段を具備する空調装置類が発明されている（例えば、特許文献１参照）。
【０００５】
この従来例は、図７に示すように、薬剤容器１１２と、その薬剤容器１１２に対して気化促進作用を行う気化促進部１１４とを備えた脱臭殺菌性ガス供給手段１１０を、空気流通路の一部に配設した、脱臭殺菌性ガス供給手段１１０を具備する空調装置類であって、適用される薬剤としては、ホルマリン、クレゾール等があげられるが、特に安定化二酸化塩素が殺菌脱臭性に優れ取り扱い上安全性の高いとしている。
【０００６】
また、上記脱臭殺菌性ガス供給手段１１０は、空調装置類の空気採り入れ口１と熱交換器（冷・暖空気形成部）２との間の空気流通路に配設することが望ましいとしている。
【０００７】
このような構成により、気化促進部１１４による気化促進作用によって、薬剤容器１１２に収納された安定化二酸化塩素から二酸化塩素が適宜量ずつ気化せしめられ、このようにして得られる二酸化塩素ガスは、種々な方式の冷熱源や加熱源から熱交換された冷風や温風内に適宜量混合されて、エアコン設備の内部、ダクト等を順次通過し、エアコン等の吹き出し口から空調対象空間としての室内に吹き出される。
【０００８】
こうして、脱臭殺菌性ガスの混在した冷・暖空気が室内に吹き出されることになり、適用室内雰囲気を清浄かつ安全な状態に維持することができるというものである。
【特許文献１】特開２００１−３１４４９２号公報
【発明の開示】
【発明が解決しようとする課題】
【０００９】
しかしながら、前記従来の構成では、脱臭殺菌性のガスとして二酸化塩素等の化学物質使用を想定しており、特に家庭用として広く用いる場合に、放出量の管理が不十分になると、完全に安全とは言い切れない、放出物質自体に臭いがある等の課題を有していた。
【００１０】
本発明は、前記従来の課題を解決するもので、安全性が高く、室内の壁やカーテン等に
付着している臭い成分まで除去できる機能を有する空気調和機を提供することを目的とする。
【課題を解決するための手段】
【００１１】
前記従来の課題を解決するために、本発明の空気調和機は、熱交換器と、送風機と、吸入口から前記熱交換器、前記送風機を通って吹出口に至る送風回路を有する空気調和機において、水を放電によってクラスターにして空気中に放出させる水クラスター発生装置を備えたものである。
【００１２】
これによって、脱臭効果が高い水クラスターを、空気調和機の吹出し風に乗せて室内に拡散させることにより、室内の壁やカーテン等に付着している臭い成分まで除去できる上に、放出成分が水であるために、高い安全性が確保されるものである。
【発明の効果】
【００１３】
本発明は、安全性が高く、室内の壁やカーテン等に付着している臭い成分まで除去できる機能を有する空気調和機を提供することができる。
【発明を実施するための最良の形態】
【００１４】
第１の発明は、熱交換器と、送風機と、吸入口から前記熱交換器、前記送風機を通って吹出口に至る送風回路を有する空気調和機において、水を放電によってクラスターにして空気中に放出させる水クラスター発生装置を備えることで、脱臭効果が高い水クラスターを、空気調和機の吹出し風に乗せて室内に拡散させることにより、室内の壁やカーテン等に付着している臭い成分まで除去できる上に、放出成分が水であるために、高い安全性が確保される。
【００１５】
第２の発明は、空気調和機の熱交換器に結露した水を利用して、水クラスター発生装置でクラスターを発生させるものであり、定期的に水を補給する必要がなく、メンテナンス性に優れた脱臭機能を有する空気調和機を提供できる。
【００１６】
第３の発明は、特に、第１または第２の発明の空気調和機に、屋外の空気中に含まれる水分を抽出する水生成手段を設け、この水生成手段で抽出した水を利用して、水クラスター発生装置でクラスターを発生させるものであり、定期的に水を補給する必要がなく、さらに、前記空気調和機の運転モードに左右されることなく安定した水供給が行えるため、メンテナンス性と安定性に優れた消臭機能を有する空気調和機を提供できる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機室内機の縦断面図、図２は吹出口を正面から見た正面図で、図３は、取り付けられる水クラスター発生装置の拡大斜視図、図４は水クラスターによる脱臭効果を示すグラフである。
【００１９】
図１〜２において、吸入口１から熱交換器２、送風機３を通って吹出口４に至る送風回路があり、吹出口４の内部に水クラスター発生装置５を固定する。また、水クラスター発生装置５に水を供給するホース６ａと流量制御弁７と取外し自在なタンク８を室内機内部に設ける。
【００２０】
図３において、水クラスター発生装置５には電極９ａ、９ｂを配設し、下部の電極９ａに水を供給するためホース６ａに連通した供給孔１０を設けている。
【００２１】
以上のように構成された空気調和機室内機について、以下その動作、作用を説明する。
【００２２】
タンク８に補給した水はホース６ａを通り、流量制御弁７により適切に設定した流量で、水クラスター発生装置５に設けた供給孔１０から電極９ａ部に供給される。
【００２３】
ここで、電極９ａ、９ｂ間に高電圧を印加すると、放電が起こり、直径が約１８ｎｍ程度の微細な水の粒子（クラスター）が放出され、吹出風に乗せて室内に広く拡散させることができる。
【００２４】
この水クラスターは反応性が高く、臭い成分に作用して無臭成分に分解する能力を持っており、その効果を図４に示す。ここでは、カーテン生地にタバコ臭を付着させ、２時間後に、水クラスター放出の有無による臭気減衰の差を官能試験（６段階臭気表示法）にて評価した結果で、図の通り、自然減衰の場合に比べ明らかに効果が見られる。
【００２５】
（実施の形態２）
図５は、本発明の第２の実施の形態における空気調和機室内機の縦断面図である。
【００２６】
以下の説明において、実施例１の説明と重複する水クラスター発生装置５の構成、脱臭効果とそのメカニズムに関する説明は省略する。
【００２７】
図５において、熱交換器２の下部に水受け容器１１ａを設け、流量制御弁７を介してホース６ａで水クラスター発生装置５と接続する。
【００２８】
以上のように構成された空気調和機室内機について、以下その動作、作用を説明する。
【００２９】
熱交換器２の下部に水受け容器１１ａを設けているため、冷房運転時、熱交換器２に結露した水滴は表面を伝って水受け容器１１ａに滴下して溜まる。そして、溜まった水はホース６ａと流量制御弁７を通り、水クラスター発生装置５の電極９ａに供給される。
【００３０】
このため、水を定期的に補給する手間が省けるという効果が得られる。
【００３１】
（実施の形態３）
図６は、本発明の第３の実施の形態における空気調和機の構成図であり、室内機の縦断面と正面から見た室外機を示している。
【００３２】
以下の説明において、実施例１、２と重複する説明は省略する。
【００３３】
図６において、室外機１５には、熱交換器１２の下部に配した水受け容器１１ｂと、ポンプ１３を設置して、水受け容器１１ｂとポンプ１３の吸引口とをホース６ｃで接続する。また、ホース６ｂの一方をポンプ１３の吐出口に接続して、もう一方は室内機１４に設けた水受け容器１１ａの上方に配している。
【００３４】
以上のように構成された空気調和機について、以下その動作、作用を説明する。
【００３５】
暖房運転時、室外機１５の熱交換器１２には結露水が生成され、滴下して水受け容器１１ｂに溜まる。水受け容器１１ｂに溜まった水は、ポンプ１３で室内機１５の水受け容器１１ａまで搬送される。
【００３６】
本実施例は、実施例２の室内機熱交換器の結露水のみでは、水クラスター発生装置５に
供給する水が不足ぎみの場合に有効な手段となり、年間を通じて一定量の水を水クラスター発生装置５に供給することが可能となる。
【産業上の利用可能性】
【００３７】
以上のように、本発明にかかる空気調和機は、熱交換器と、送風機と、吸入口から前記熱交換器、前記送風機を通って吹出口に至る送風回路と、水を放電によってクラスターにして空気中に放出させる水クラスター発生装置を備え、脱臭効果が高い水クラスターを、空気調和機の吹出し風に乗せて室内に拡散させることにより、室内の壁やカーテン等に付着している臭い成分まで除去できるので、脱臭以外の効果を持つ成分を室内に放出する空気調和機にも広く適用できる。
【図面の簡単な説明】
【００３８】
【図１】本発明の実施の形態１における空気調和機室内機の縦断面図
【図２】本発明の実施の形態１における吹出口を正面から見た正面図
【図３】本発明の実施の形態１における水クラスター発生装置の拡大斜視図
【図４】本発明の実施の形態１における脱臭効果を示すグラフ
【図５】本発明の実施の形態２における空気調和機室内機の縦断面図
【図６】本発明の実施の形態３における空気調和機の構成図
【図７】従来の空気調和機の断面図
【符号の説明】
【００３９】
１  吸入口
２  熱交換器（室内機側）
３  送風機
４  吹出口
５  水クラスター発生装置
６ａ  ホース
６ｂ  ホース
６ｃ  ホース
７  流量制御弁
８  タンク
９ａ  下の電極
９ｂ  上の電極
１０  供給孔
１１ａ  水受け容器（室内機側）
１１ｂ  水受け容器（室外機側）
１２  熱交換器（室外機側）
１３  ポンプ
１４  室内機
１５  室外機
【図１】
2006078135.tif 000003
【図２】
2006078135.tif 000004
【図３】
2006078135.tif 000005
【図４】
2006078135.tif 000006
【図５】
2006078135.tif 000007
【図６】
2006078135.tif 000008
【図７】
2006078135.tif 000009